(57)【要約】      （修正有）【課題】変化に富み、面白みがあるスキミング防止カードを提供する。【解決手段】レンチキュラーレンズ１と、アルミニウム又は銅から成る金属箔層２と、プラスチックから成る補強層３と、を順次積層する。レンチキュラーレンズ１と金属箔層２とを非加熱非加圧接着剤４にて接着する。【選択図】図３
0003137978.tif 000002
【実用新案登録請求の範囲】
【請求項１】
板片状のレンチキュラーレンズ（１）と、アルミニウム又は銅から成る金属箔層（２）と、プラスチックから成る補強層（３）と、を順次積層したスキミング防止カードであって、上記レンチキュラーレンズ（１）と上記金属箔層（２）とを非加熱非加圧接着剤（４）にて接着したことを特徴とするスキミング防止カード。
【請求項２】
上記非加熱非加圧接着剤（４）がアクリル・酢ビ共重合体から成る請求項１記載のスキミング防止カード。
【請求項３】
上記レンチキュラーレンズ（１）の厚さ寸法（Ｔ1 ）を 200μｍ以上 500μｍ以下に設定し、かつ、上記金属箔層（２）の厚さ寸法（Ｔ2 ）を15μｍ以上80μｍ以下に設定し、さらに、上記補強層（３）がＯＰＰから成ると共にその厚さ寸法（Ｔ3 ）を20μｍ以上80μｍ以下に設定した請求項１又は２記載のスキミング防止カード。
【考案の詳細な説明】
【技術分野】
【０００１】
本考案は、スキミング防止カードに関する。
【背景技術】
【０００２】
従来、非接触ＩＣカードをスキミングされることを防止するために、電磁波を遮蔽するためのアルミニウム箔を有するスキミング防止カードが用いられている（例えば、特許文献１参照）。
【０００３】
しかし、スキミング防止カードは、印刷が施される程度の単純な構成であり、面白みに欠けていた。
【特許文献１】特開２００６−５３７６１号公報
【考案の開示】
【考案が解決しようとする課題】
【０００４】
解決しようとする課題は、単にスキミング防止効果をもつのみであって、面白みに欠けている点である。
【課題を解決するための手段】
【０００５】
そこで、本考案に係るスキミング防止カードは、板片状のレンチキュラーレンズと、アルミニウム又は銅から成る金属箔層と、プラスチックから成る補強層と、を順次積層したスキミング防止カードであって、上記レンチキュラーレンズと上記金属箔層とを非加熱非加圧接着剤にて接着したものである。
【０００６】
また、上記非加熱非加圧接着剤がアクリル・酢ビ共重合体から成るものである。
また、上記レンチキュラーレンズの厚さ寸法Ｔ1 を 200μｍ以上 500μｍ以下に設定し、かつ、上記金属箔層の厚さ寸法Ｔ2 を15μｍ以上80μｍ以下に設定し、さらに、上記補強層がＯＰＰから成ると共にその厚さ寸法Ｔ3 を20μｍ以上80μｍ以下に設定したものである。
【考案の効果】
【０００７】
本考案のスキミング防止カードによれば、スキミング防止効果（電磁波遮断効果）を得られるとともに、変化に富み、面白みがある。そして、広告・宣伝や、名刺として用いるにも好適である。
【考案を実施するための最良の形態】
【０００８】
図１〜図３は、本考案の実施の一形態を示す。このスキミング防止カードを図３のＡ方向から見ると、図１に示すように図柄Ｐ（目を閉じた女性と月）が見える。スキミング防止カードを図３のＢ方向から見ると、図２に示すように図柄Ｑ（笑顔の女性と太陽）が見える。すなわち、見る方向（Ａ方向又はＢ方向）によって、異なる図柄（図柄Ｐ又は図柄Ｑ）が見える。
【０００９】
具体的には、レンチキュラーレンズ（表面部断面が多数のかまぼこを並べた形状を有する板片状のレンズ）１と、アルミニウム又は銅から成る金属箔層２と、プラスチック（例えばＯＰＰ；オリエントポリプロピレン）から成る補強層３（例えば補強シート材）と、が順次積層されている。
【００１０】
板片状の（略長方形の）レンチキュラーレンズ１と金属箔層２とが非加熱非加圧接着剤４にて接着されている。「非加熱非加圧接着剤」とは、非加熱かつ非加圧の状態で接着可能な接着剤のことをいう。例えば、非加熱非加圧接着剤４がアクリル・酢ビ共重合体、又は、アクリル酸エステル共重合体から成る。
【００１１】
金属箔層２と補強層３とが接着剤５にて接着されている。接着剤５は、非加熱非加圧接着剤であっても良いし、非加熱非加圧接着剤でなくても良い。例えば、接着剤５がアクリル酸エステル共重合体から成る。
【００１２】
レンチキュラーレンズ１の厚さ寸法Ｔ1 が 200μｍ以上 500μｍ以下に設定されている。厚さ寸法Ｔ1 が 200μｍ未満の場合、製造するのが困難である。 500μｍを超える厚さ寸法Ｔ1 は、不必要である。
【００１３】
金属箔層２の厚さ寸法Ｔ2 が15μｍ以上80μｍ以下に設定されている。厚さ寸法Ｔ2 が15μｍ未満の場合、適切なスキミング防止効果が得られない。80μｍを超える厚さ寸法Ｔ2 は、不必要である。
【００１４】
補強層３の厚さ寸法Ｔ3 が20μｍ以上80μｍ以下に設定されている。厚さ寸法Ｔ3 が20μｍ未満の場合、強度不足になる。80μｍを超える厚さ寸法Ｔ3 は、不必要である。
【００１５】
次に、上述のスキミング防止カードの製法について説明する。まず、金属箔層２と補強層３を接着剤５にて接着して積層する。その後、レンチキュラーレンズ１と、（補強層５と積層一体化された）金属箔層２とを、非加熱非加圧接着剤４にて、非加熱非加圧状態で接着して積層する。なお、レンチキュラーレンズ１には、あらかじめ（分断状の）図柄Ｐ及び図柄Ｑが、見る方向によって異なるように印刷されている。
【００１６】
本考案は、設計変更可能であって、例えば、補強層３が通常のポリプロピレン等のプラスチックから成るも良い。また、非加熱非加圧接着剤４及び接着剤５は、上述のものに限定されない。また、チェインジングする図柄は、３種類以上であるも好ましい。また、（レンチキュラーレンズ１に直接図柄を印刷するのではなく、）レンチキュラーレンズ１と金属箔層２の間に（分断状の）図柄Ｐ及び図柄Ｑを印刷した紙を積層させるも良い。また、補強層３は（接着によらず）金属箔層２に溶融プラスチックをラミネートしたものであっても良い。
【００１７】
以上のように、本考案は、板片状のレンチキュラーレンズ１と、アルミニウム又は銅から成る金属箔層２と、プラスチックから成る補強層３と、を順次積層したスキミング防止カードであって、レンチキュラーレンズ１と金属箔層２とを非加熱非加圧接着剤４にて接着したので、スキミング防止効果を得られる（すなわち電磁波を遮断することによりカード情報を保護することができる）とともに、変化に富み、面白みがある。そして、広告・宣伝や、名刺として用いるにも好適である。加熱・加圧により接着せんとすれば、微細なかまぼこ型凸部が破壊・損傷を受けるので、レンチキュラーレンズ１の接着（積層）はできないところ、本考案は非加熱非加圧接着剤４を用いるものなので、レンチキュラーレンズ１を積層させたものを製造することができる。
【００１８】
また、非加熱非加圧接着剤４がアクリル・酢ビ共重合体から成るので、確実にレンチキュラーレンズ１と金属箔層２を接着することができる。
【００１９】
また、レンチキュラーレンズ１の厚さ寸法Ｔ1 を 200μｍ以上 500μｍ以下に設定し、かつ、金属箔層２の厚さ寸法Ｔ2 を15μｍ以上80μｍ以下に設定し、さらに、補強層３がＯＰＰから成ると共にその厚さ寸法Ｔ3 を20μｍ以上80μｍ以下に設定したので、全体を合理的な厚さ寸法とすることができる。すなわち、スキミング防止効果を適切に得ることができ、かつ、全体として無駄がない厚さ寸法とすることができる。金属箔層２を適切に保護することができる。さらに、補強層３がＯＰＰから成るので、強度的に優れる。
【図面の簡単な説明】
【００２０】
【図１】本考案の実施の一形態を示す正面図である。
【図２】正面図である。
【図３】要部切断拡大断面図である。
【符号の説明】
【００２１】
１  レンチキュラーレンズ
２  金属箔層
３  補強層
４  非加熱非加圧接着剤
Ｔ1 厚さ寸法
Ｔ2 厚さ寸法
Ｔ3 厚さ寸法
【図１】
0003137978.tif 000003
【図２】
0003137978.tif 000004
【図３】
0003137978.tif 000005